(57)【要約】【課題】  運転者の意図に応じた補助操舵トルクを付与することにより、運転者に与える違和感を軽減しながらハンドル操舵に適応した操舵支援制御が行うことができる操舵支援装置を提供する。【解決手段】  逸脱防止支援ＥＣＵ１０は、操舵トルクが操舵トルクしきい値を超え、制御トルクが制御トルクしきい値を超えた時間が成立判定時間しきい値を超えたときに、干渉判定を成立させて、目標制御トルクを小さくする。ここで、車両の前方に他車両が走行し、他車両と白線との距離が所定値以下であり、かつ車両の他車両に対する到達時間が所定値以下の場合に操舵トルクしきい値、制御トルクしきい値、および成立判定時間しきい値を小さくする。【選択図】  図１
2010137778.tif 000002
【特許請求の範囲】
【請求項１】
車両の前方の走行路を撮像した画像に基づき前記車両が走行路に沿って走行するように操舵機構に補助操舵トルクを付与するトルク付与手段と、
前記トルク付与手段による操舵量と前記車両のハンドル操作による操舵量との差が所定のしきい値を超える場合に、前記操舵機構に付与する補助操舵トルクを抑制する操舵トルク抑制手段と、を備える操舵支援装置であって、
前記車両の運転者が前記トルク抑制手段による前記補助操舵トルクの抑制を期待する状況であるトルク抑制制御期待状況を判定するトルク抑制制御期待状況判定手段と、
前記トルク抑制制御期待状況判定手段による判定結果に基づいて、前記所定のしきい値を調整することを特徴とする操舵支援装置。
【請求項２】
前記トルク抑制制御期待状況判定手段がトルク抑制制御期待状況であると判定した場合に、前記所定のしきい値を小さくする請求項１に記載の操舵支援装置。
【請求項３】
前記トルク抑制制御期待状況判定手段は、前記車両の周囲を走行する他車両を検出する他車両検出手段と、
前記他車両と前記車両との相対関係を検出する相対関係検出手段と、を備えており、
前記他車両と前記車両との相対関係に基づいて、トルク抑制制御期待状況の判定を行う請求項２に記載の操舵支援装置。
【請求項４】
前記他車両と前記車両との相対関係が、前記車両が走行する走行路に対する前記他車両からの距離であり、
前記距離が近いときに、トルク抑制制御期待状況であると判定する請求項３に記載の操舵支援装置。
【請求項５】
前記他車両と前記車両との相対関係が、前記車両における前記他車両までの到達時間であり、
前記到達時間が短いときに、トルク抑制制御期待状況であると判定する請求項３または請求項４に記載の操舵支援装置。
【請求項６】
前記操舵量が操舵力および操舵時間であり、
前記所定のしきい値として操舵力に対する操舵力しきい値および操舵時間に対する操舵時間しきい値が設定されている請求項２に記載の操舵支援装置。
【請求項７】
前記操舵力しきい値を小さくすることによって前記所定のしきい値を小さくする請求項６に記載の操舵支援装置。
【請求項８】
前記操舵時間しきい値を短くすることによって前記所定のしきい値を小さくする請求項６に記載の操舵支援装置。
【請求項９】
前記トルク抑制制御期待状況判定手段がトルク抑制制御期待状況でないと判定した場合に、前記所定のしきい値を大きくする請求項１に記載の操舵支援装置。
【請求項１０】
前記トルク抑制制御期待状況判定手段は、前記車両の運転者が脇見状態にある場合に、トルク抑制制御期待状況でないと判定する請求項９に記載の操舵支援装置。
【請求項１１】
前記トルク抑制制御期待状況判定手段は、前記車両の運転者が居眠り状態にある場合に、トルク抑制制御期待状況でないと判定する請求項９に記載の操舵支援装置。
【請求項１２】
前記トルク抑制制御期待状況判定手段によってトルク抑制制御期待状況であると判定されている時間である判定継続時間を計測する判定継続時間計測手段を備えており、
前記判定継続時間計測手段の計測結果に基づいて、前記操舵トルク抑制手段による補助操舵トルクの抑制量を調整する請求項１〜請求項１１のうちのいずれか１項に記載の操舵支援装置。
【請求項１３】
前記判定継続時間の長さに応じて、前記操舵トルク抑制手段によって前記操舵機構に付与する補助操舵トルクの抑制量を大きくしていく請求項１２に記載の操舵支援装置。
【請求項１４】
前記判定継続時間中における前記ハンドル操作による操舵トルクの積分値に応じて、前記操舵トルク抑制手段によって前記操舵機構に付与する補助操舵トルクの抑制量を大きくしていく請求項１２に記載の操舵支援装置。
【発明の詳細な説明】
【技術分野】
【０００１】
本発明は、操舵支援装置に係り、特に、走行中の車両が車線から逸脱するのを防止する車線逸脱防止を行うための操舵支援装置に関する。
【背景技術】
【０００２】
従来、車線が描かれた道路を走行する車両が、車線から逸脱するのを防止するために、運転者のステアリング操作によって付与される操舵トルクのほかに、補助操舵トルクを付与するトルク付与手段を備える操舵支援装置が知られている。また、この種の操舵支援装置として、トルク付与手段によって付与された補助操舵トルクと運転者のハンドル操作による操舵トルクとの方向が異なるときに、トルク付与手段によって付与される補助操舵トルクを小さくするものがある（たとえば特許文献１参照）。この操舵支援装置によれば、運転者のハンドル操舵に適応した操舵支援制御が行うことができる。
【特許文献１】特開２００７−０３８６９７号公報
【発明の開示】
【発明が解決しようとする課題】
【０００３】
しかし、上記特許文献１に開示された操舵支援装置では、トルク付与手段によって付与される補助操舵トルクと運転者のハンドル操作による操舵トルクとの方向が違う場合に、一律的にトルク付与手段によって付与される補助操舵トルクを小さくしている。このため、車両の周辺環境等によっては、運転者の意図と異なって補助操舵トルクが小さくなったり、あるいは小さくならなかったりすることがあり、運転者に違和感を与えることがあるという問題があった。
【０００４】
そこで、本発明の課題は、運転者の意図に応じた補助操舵トルクを付与することにより、運転者に与える違和感を軽減しながらハンドル操舵に適応した操舵支援制御が行うことができる操舵支援装置を提供することにある。
【課題を解決するための手段】
【０００５】
上記課題を解決した本発明に係る操舵支援装置は、車両の前方の走行路を撮像した画像に基づき車両が走行路に沿って走行するように操舵機構に補助操舵トルクを付与するトルク付与手段と、トルク付与手段による操舵量と車両のハンドル操作による操舵量との差が所定のしきい値を超える場合に、操舵機構に付与する補助操舵トルクを抑制する操舵トルク抑制手段と、を備える操舵支援装置であって、車両の運転者がトルク抑制手段による補助操舵トルクの抑制を期待する状況であるトルク抑制制御期待状況を判定するトルク抑制制御期待状況判定手段と、トルク抑制制御期待状況判定手段による判定結果に基づいて、所定のしきい値を調整することを特徴とする。
【０００６】
本発明に係る操舵支援装置では、車両の運転者がトルク抑制手段による補助操舵トルクの抑制を期待する状況であるトルク抑制制御期待状況を判定し、その判定結果に基づいて操舵機構に付与する補助操舵トルクを抑制すると判断する際のしきい値を調整している。このため、車両の運転者がトルク抑制手段による補助操舵トルクの抑制を期待する状況に応じて操舵機構に付与する補助操舵トルクを抑制するか否かを調整することができる。したがって、運転者の意図に応じた補助操舵トルクを付与することにより、運転者に与える違和感を軽減しながらハンドル操舵に適応した操舵支援制御が行うことができる。
【０００７】
ここで、トルク抑制制御期待状況判定手段がトルク抑制制御期待状況であると判定した場合に、所定のしきい値を小さくする態様とすることができる。
【０００８】
このように、トルク抑制制御期待状況判定手段がトルク抑制制御期待状況であると判定した場合に、所定のしきい値を小さくすることにより、車両の運転者がトルク抑制手段による補助操舵トルクの抑制を期待する状況のときに操舵機構に付与する補助操舵トルクを抑制することができる。
【０００９】
また、トルク抑制制御期待状況判定手段は、車両の周囲を走行する他車両を検出する他車両検出手段と、他車両と車両との相対関係を検出する相対関係検出手段と、を備えており、他車両と車両との相対関係に基づいて、トルク抑制制御期待状況の判定を行う態様とすることができる。
【００１０】
車両の運転者がトルク抑制手段による補助操舵トルクの抑制を期待する状況にあるか否かは、他車両と車両との相対関係に基づいて推定することができる。したがって、他車両と車両との相対関係に基づいて、トルク抑制制御期待状況の判定を行うことにより、トルク抑制制御期待状況を判定することができ、運転者の意図に応じた補助操舵トルクを付与することができる。
【００１１】
さらに、他車両と車両との相対関係が、車両が走行する走行路に対する他車両からの距離であり、距離が近いときに、トルク抑制制御期待状況であると判定する態様とすることができる。
【００１２】
車両が走行する走行路に対する他車両からの距離が近いとき、運転者は他車両から離れた位置を走行しようとすると考えられ、運転者がトルク抑制制御を期待している状況であると考えられる。このため、車両が走行する走行路に対する他車両からの距離が近いときに、トルク抑制制御期待状況であると判定することにより、運転者の意図に応じた補助操舵トルクを付与することができる。
【００１３】
また、他車両と前記車両との相対関係が、車両における他車両までの到達時間であり、到達時間が短いときに、トルク抑制制御期待状況であると判定する態様とすることができる。
【００１４】
車両における他車両までの到達時間が短いときにも、運転者は他車両から離れた位置を走行しようとすると考えられ、運転者がトルク抑制制御を期待している状況であると考えられる。このため、車両における他車両までの到達時間が短いときに、トルク抑制制御期待状況であると判定することにより、運転者の意図に応じた補助操舵トルクを付与することができる。
【００１５】
あるいは、操舵量が操舵力および操舵時間であり、所定のしきい値として操舵力に対する操舵力しきい値および操舵時間に対する操舵時間しきい値が設定されている態様とすることができる。
【００１６】
トルク付与手段による操舵量と前記車両のハンドル操作による操舵量との差に対する所定のしきい値としては、操舵力に対する操舵力しきい値および操舵時間に対する操舵時間しきい値を好適に用いることができる。
【００１７】
このとき、操舵力しきい値を小さくすることによって所定のしきい値を小さくすることができるし、操舵時間しきい値を短くすることによって所定のしきい値を小さくすることもできる。
【００１８】
このように、操舵力しきい値を小さくすることによって所定のしきい値を小さくすることや、操舵時間しきい値を短くすることによって所定のしきい値を小さくすることにより所定のしきい値を調整することができる。
【００１９】
また、トルク抑制制御期待状況判定手段がトルク抑制制御期待状況でないと判定した場合に、所定のしきい値を大きくする態様とすることができる。
【００２０】
このように、トルク抑制制御期待状況判定手段がトルク抑制制御期待状況でないと判定した場合に、所定のしきい値を大きくすることにより、車両の運転者がトルク抑制手段による補助操舵トルクの抑制を期待しない状況のときに、操舵機構に付与する補助操舵トルクの抑制を行わないようにすることができる。
【００２１】
ここで、トルク抑制制御期待状況判定手段は、車両の運転者が脇見状態にある場合に、トルク抑制制御期待状況でないと判定することができるし、車両の運転者が居眠り状態にある場合に、トルク抑制制御期待状況でないと判定することもできる。
【００２２】
車両の運転者が脇見状態にある場合に、トルク抑制制御期待状況でないと判定することができるし、車両の運転者が居眠り状態にある場合は、運転者がトルク抑制制御を期待している状況ではないと考えられる。このため、車両の運転者が脇見状態にある場合や居眠り状態にある場合に、トルク抑制制御期待状況であると判定することにより、運転者の意図に反することがない補助操舵トルクを付与することができる。
【００２３】
また、トルク抑制制御期待状況判定手段によってトルク抑制制御期待状況であると判定されている時間である判定継続時間を計測する判定継続時間計測手段を備えており、判定継続時間計測手段の計測結果に基づいて、操舵トルク抑制手段による補助操舵トルクの抑制量を調整する態様とすることができる。
【００２４】
このように、判定継続時間計測手段の計測結果に基づいて、操舵トルク抑制手段による補助操舵トルクの抑制量を調整することにより、トルク抑制制御の継続時間に応じて補助操舵トルクの抑制量が変更される。このため、運転者に与える違和感をさらに低減することができる。
【００２５】
このとき、判定継続時間の長さに応じて、操舵トルク抑制手段によって操舵機構に付与する補助操舵トルクの抑制量を大きくしていく態様とすることができる。さらには、判定継続時間中におけるハンドル操作による操舵トルクの積分値に応じて、操舵トルク抑制手段によって操舵機構に付与する補助操舵トルクの抑制量を大きくしていく態様とすることができる。
【００２６】
このように、判定継続時間の長さや判定継続時間中におけるハンドル操作による操舵トルクの積分値に応じて、操舵トルク抑制手段によって操舵機構に付与する補助操舵トルクの抑制量を大きくすることによって、運転者の癖に応じた制御を行うことができ、運転者に与える違和感を好適に軽減することができる。
【発明の効果】
【００２７】
本発明に係る操舵支援装置によれば、運転者の意図に応じた補助操舵トルクを付与することにより、運転者に与える違和感を軽減しながらハンドル操舵に適応した操舵支援制御が行うことができる。
【発明を実施するための最良の形態】
【００２８】
以下、図面を参照して、本発明の好適な実施形態について説明する。なお、図面の説明において同一の要素には同一の符号を付し、重複する説明を省略する。図１は本発明の実施形態に係る操舵支援装置のブロック構成図である。
【００２９】
図１に示すように、本実施形態に係る操舵支援装置１は、逸脱防止支援ＥＣＵ１０を備えている。逸脱防止支援ＥＣＵ１０には、車速検出手段１１、操舵トルク検出手段１２、白線認識カメラ１３、ブレーキスイッチ１４、ウィンカースイッチ１５、メインスイッチ１６、および前方認識レーダ１７が接続されている。また、逸脱防止支援ＥＣＵ１０には、トルク付与手段となる操舵トルク印加手段２、警報ブザー３、およびメーター４が接続されている。
【００３０】
逸脱防止支援ＥＣＵ１０は、車速検出手段１１、操舵トルク検出手段１２、白線認識カメラ１３などから出力される情報に基づいて、自車が車線を逸脱するか否かを判断する。その結果、自車が所定時間後に車線を逸脱すると判断したときに、操舵トルク印加手段２、警報ブザー３などに所定の信号を出力する。逸脱防止支援ＥＣＵ１０は、操舵トルク抑制手段を構成する。
【００３１】
また、逸脱防止支援ＥＣＵ１０では、車線逸脱判定を行う際に、操舵トルク検出手段１２で検出された操舵トルクと、操舵トルク印加手段２によって付与する補助操舵トルクとなる制御トルクとが干渉しているか否かの干渉判定を行っている。干渉判定の結果、操舵トルクと制御トルクとが干渉していると判定したときに、制御トルクの目標値となる目標制御トルクを小さくする。また、干渉判定では、操舵トルクと制御トルクとがそれぞれ所定のしきい値を超える場合に干渉しているとの判定を行う。逸脱防止支援ＥＣＵ１０では、車両の周囲の状況等に応じて、トルク抑制制御期待状況を判定し、トルク抑制制御期待状況に応じて干渉判定を行う際のしきい値を調整する。逸脱防止支援ＥＣＵ１０は、相対関係検出手段およびトルク抑制制御期待状況判定手段を構成する。
【００３２】
逸脱防止支援ＥＣＵ１０は、干渉判定に用いるしきい値として、操舵トルク低しきい値Ｄｄ_ｉｌ、操舵トルク標準しきい値Ｄｄ_ｉｓ、制御トルク低しきい値Ｄｔ_ｉｌ、制御トルク標準しきい値Ｄｔ_ｉｓ、成立判定時間低しきい値Ｔｏ_ｉｌ、および成立判定時間標準しきい値Ｔｏ_ｉｓを記憶している。また、干渉解除判定に用いる解除用しきい値として、解除用操舵トルク低しきい値Ｄｄ_ｏｌ、解除用操舵トルク標準しきい値Ｄｄ_ｏｓ、解除用制御トルク低しきい値Ｄｔ_ｏｌ、解除用制御トルク標準しきい値Ｄｔ_ｏｓ、解除用成立判定時間低しきい値Ｔｏ_ｏｌ、および解除用成立判定時間標準しきい値Ｔｏ_ｏｓを記憶している。さらに、干渉判定の際のしきい値を調整するため、前方車両と白線との間の相対距離しきい値Ｘ_ｌおよび車両が前方車両に到達するまでの到達時間しきい値Ｔ_ｌを記憶している。
【００３３】
逸脱防止支援ＥＣＵ１０では、干渉判定低しきい値フラグがＯＮとなっているときに、干渉判定低しきい値がセットされ、干渉判定が成立しやすくなる。その一方、干渉判定低しきい値フラグがＯＦＦのときには、干渉判定標準しきい値がセットされ、干渉判定が成立しにくくなる。
【００３４】
また、逸脱防止支援ＥＣＵ１０は、干渉判定低しきい値フラグがＯＮとなっている時間を計測する干渉判定低しきい値フラグＯＮタイマを備えている。さらには、干渉判定低しきい値フラグがＯＮとなっている継続時間が所定の継続時間を超えた際に、干渉判定低しきい値フラグをＯＦＦにするための所定の継続時間となる干渉判定低しきい値フラグ継続時間しきい値αを記憶している。逸脱防止支援ＥＣＵ１０のさらに詳しい機能は、後に説明する。
【００３５】
車速検出手段１１は、たとえば車両の前輪部分に取り付けられており、自車が走行する際の車速を検出している。車速検出手段１１は、検出した車速を逸脱防止支援ＥＣＵ１０に出力している。
【００３６】
操舵トルク検出手段１２は、たとえば車室内のステアリングに接続されたステアリングロッドに取り付けられており、ドライバのステアリング操作によってステアリングに入力された操舵トルクを検出している。操舵トルク検出手段１２は、検出した操舵トルク信号を逸脱防止支援ＥＣＵ１０に出力している。
【００３７】
白線認識カメラ１３は、たとえば車室内におけるフロントガラス上部から車外を見渡す位置に配置されており、フロントガラス越しに覗く車外の状況を撮像している。白線認識カメラ１３は、撮像した車外状況を逸脱防止支援ＥＣＵ１０に出力している。
【００３８】
ブレーキスイッチ１４は、たとえば車室内におけるブレーキペダルに取り付けられており、ドライバによるブレーキペダルの操作を検出している。ブレーキスイッチ１４は、ドライバがブレーキペダルを操作して車両にブレーキ動作をさせようとした際に、ブレーキ信号を逸脱防止支援ＥＣＵ１０に出力する。
【００３９】
ウィンカースイッチ１５は、たとえば車室内におけるウィンカーレバーに取り付けられており、ドライバによるウィンカーの操作を検出している。ウィンカースイッチ１５は、ドライバがウィンカーレバーを操作してウィンカーを出そうとした際に、ウィンカー信号を逸脱防止支援ＥＣＵ１０に出力する。
【００４０】
メインスイッチ１６は、たとえば車室内における運転席側のドアに取り付けられている。ドライバなどがメインスイッチ１６をＯＮにする操作をすると、メインスイッチ１６は、ＯＮ信号を逸脱防止支援ＥＣＵ１０に出力する。逸脱防止支援ＥＣＵ１０は、このＯＮ信号を受けて逸脱防止支援を開始する。
【００４１】
前方認識レーダ１７は、自車両前方における障害物の有無、自車両に対する前方車両（他車両）などの障害物の方向、および自車両と障害物との距離を検出するセンサである。たとえば、前方認識レーダ１７は、ミリ波信号を送受信するミリ波レーダセンサである。前方認識レーダ１７は、自車両前方における所定の範囲にミリ波信号を送信し、このミリ波信号が障害物によって反射された反射波信号を受信して、自車両前方における障害物の有無、および自車両に対する障害物の方向を検出する。また、前方認識レーダ１７は、ミリ波信号送信時間と反射波信号受信時間とから、障害物までの距離を算出する。前方認識レーダ１７は、障害物の有無情報、障害物の方向情報および障害物までの距離情報を含むレーダ信号を逸脱防止支援ＥＣＵ１０へ送信する。前方認識レーダは、他車両検出手段を構成する。
【００４２】
操舵トルク印加手段２としては、たとえばステアリングロッドに接続された電動パワーステアリング装置における電動モータが用いられる。操舵トルク印加手段２は、逸脱防止支援ＥＣＵ１０から出力される印加信号に基づいて、ステアリングロッドに所定の制御トルクを印加する。
【００４３】
警報ブザー３は、たとえば車室内のインストルメントパネル部分に設けられており、ドライバに到達する所定の音量の警報を発する。また、警報ブザー３が発する信号には複数の種類が備えられており、逸脱防止支援ＥＣＵ１０から出力される警報信号に基づいて、所定の種類の警報が出力される。
【００４４】
メーター４には、図２に示すように、速度メーター２１およびタコメーター２２が設けられている。速度メーター２１の表示部分には、「ＬＫＡ」の文字で表される逸脱防止支援実行表示２３、操舵制御実行表示２４、白線認識表示２５、レーダクルーズ表示２６、およびレーダクルーズ設定速度表示２７などが表示される。これらの表示部分には、逸脱防止支援ＥＣＵ１０から出力される表示信号に基づいて、適宜の表示がなされる。具体的に、逸脱防止支援実行表示２３は、逸脱防止支援を行っている最中に点灯する。
【００４５】
次に、本実施形態における操舵支援装置１における動作、作用について説明する。図３は、本実施形態に係る操舵支援装置の処理手順を示すフローチャート、図４は目標制御トルク判定処理の手順を示すフローチャートである。図３における一連の制御処理は、たとえば、逸脱防止支援ＥＣＵ１０により所定の周期で繰り返し実行される。本実施形態では、目標制御トルク判定処理に特徴があるが、目標制御トルク判定処理の説明の前に、操舵支援装置の処理手順について説明する。
【００４６】
図３に示すように、操舵支援装置１では、運転支援を開始する前処理として、メインスイッチ１６がＯＮになっていることを確認する。メインスイッチ１６がＯＮになっていたら、白線認識カメラ１３で撮影された画像から白線を取り出す白線情報処理を行い、自車が走行する車線の白線を認識する（Ｓ１）。
【００４７】
操舵支援の可否判断が済んだら、続いて、ドライバの操作判定を行う（Ｓ２）。ドライバの操作判定は、操舵トルク検出手段１２から出力される操舵トルク信号、ブレーキスイッチ１４から出力されるブレーキ信号、およびウィンカースイッチ１５から出力されるウィンカー信号などに基づいて行われる。操舵トルク信号が所定のトルク量を示す場合には、ドライバがステアリングを操作したと判断する。また、ブレーキスイッチ１４からブレーキ信号が出力された場合には、ドライバがブレーキ操作を行ったと判断し、ウィンカースイッチ１５からウィンカー信号が出力された場合には、ドライバがウィンカー操作を行ったと判断する。
【００４８】
ドライバの操作判定に続いて、周辺車両の検出を行う（Ｓ３）。周辺車両の検出では、前方認識レーダ１７から送信されるミリ波信号に基づいて、車両の周辺前方における前方車両を検出する。それから、操舵トルク検出手段１２から送信される操舵トルク信号に基づいて、ドライバのステアリング操作によってステアリングに入力された操舵トルクを検出する（Ｓ４）。続いて、操舵トルク印加手段２に出力している印加信号に基づいて、操舵トルク印加手段２によってステアリングロッドに印加する制御トルクを検出する（Ｓ５）。その後、制御トルクおよび操舵トルクを用いて目標制御トルク判定処理を行う（Ｓ６）。目標制御トルク判定処理については、後に詳述する。
【００４９】
目標制御トルク判定処理を行ったら、操舵トルク印加手段２によって目標制御トルクを操舵系に印加する。それから、逸脱判定処理を行う（Ｓ７）。逸脱判定処理を行う際に、逸脱防止支援として、操舵補助トルクを印加する行う旨をドライバに知らせるためのブザー吹鳴処理を行う（Ｓ８）。車線逸脱判定処理において、自車が車線を逸脱すると判断し、操舵トルク印加手段２によって操舵補助トルクが印加されているときに、警報ブザー３から所定の音の警報が出力される。
【００５０】
また、ブザー吹鳴処理を行うとともに、警報表示処理がなされる（Ｓ９）。さらに、車線逸脱判定処理において、自車が車線を逸脱すると判断し、操舵トルク印加手段２によって目標制御トルクが印加されているときに、メーター４には、逸脱防止支援実行表示２３および白線認識表示などがなされる。その後、所定のデータ出力処理を行う（Ｓ１０）。こうして、運転支援が終了する。
【００５１】
それでは、目標制御トルク判定処理について説明する。図４は、目標制御トルク判定処理の手順を示すフローチャートである。
【００５２】
図４に示すように、目標制御トルク判定処理の際には、干渉判定低しきい値フラグがＯＦＦのデフォルト設定されている（Ｓ１１）。次に、車両の前方に、隣車線を走行する前方車両が検出された場合に、前方車両と白線との相対距離Ｘおよび車両が前方車両に到達するまでの到達時間Ｔを算出する。前方車両と白線との相対距離Ｘは、白線認識カメラ１３から送信された車外情報に基づいて認識された白線の位置と、前方認識レーダ１７によって認識された前方車両まで距離に基づいて算出される。また、車両が前方車両に到達するまでの到達時間Ｔは、車速検出手段１１で検出された車速と、前方認識レーダ１７によって認識された車両から前方車両までの距離および前方車両の速度に基づいて算出される。それから、前方車両と白線との相対距離Ｘが相対距離しきい値Ｘ_ｌ以下であり、かつ、車両が前方車両に到達するまでの到達時間Ｔが到達時間しきい値Ｔ_ｌ以下であるか否かを判断する（Ｓ１３）。
【００５３】
その結果、前方車両と白線との相対距離Ｘが相対距離しきい値Ｘ_ｌ以下であり、かつ、車両が前方車両に到達するまでの到達時間Ｔが到達時間しきい値Ｔ_ｌ以下であるという条件が成立していると判断した場合には、干渉判定低しきい値フラグをＯＮにする（Ｓ１３）。一方、前方車両と白線との相対距離Ｘが相対距離しきい値Ｘ_ｌ以下であり、かつ、車両が前方車両に到達するまでの到達時間Ｔが到達時間しきい値Ｔ_ｌ以下であるという条件が成立していないと判断した場合には、そのままステップＳ１４に進む。
【００５４】
それから、干渉判定低しきい値フラグがＯＮとなっているか否かを判断する（Ｓ１４）。その結果、干渉判定低しきい値フラグがＯＮとなっていると判断した場合には、干渉判定に用いるしきい値として、干渉判定低しきい値をセットする（Ｓ１５）。ここでは、干渉判定低しきい値のうち、操舵トルクしきい値としてＤｄ_ｉ、操舵トルク低しきい値Ｄｄ_ｉｌ、制御トルクしきい値Ｄｔ_ｉとして制御トルク低しきい値Ｄｔ_ｉｌ、成立判定時間しきい値Ｔｏ_ｉとして成立判定時間低しきい値Ｔｏ_ｉｌをそれぞれセットする。
【００５５】
また、干渉解除判定に用いる解除用しきい値のうち、解除用操舵トルクしきい値Ｄｄ_ｏとして解除用操舵トルク低しきい値Ｄｄ_ｏｌ、解除用制御トルクしきい値Ｄｔ_ｏとして解除用制御トルク低しきい値Ｄｔ_ｏｌ、解除用成立判定時間しきい値Ｔｏ_ｏとして解除用成立判定時間低しきい値Ｔｏ_ｏｌをそれぞれセットする。それから、干渉判定低しきい値フラグＯＮタイマをカウントアップする（Ｓ１６）
【００５６】
一方、干渉判定低しきい値フラグがＯＦＦとなっていると判断した場合には、干渉判定に用いるしきい値として、干渉判定低しきい値をセットする（Ｓ１７）。ここでセットする干渉判定低しきい値として、具体的には、操舵トルクしきい値Ｄｄ_ｉとして操舵トルク低しきい値Ｄｄ_ｉｌをセットする。また、制御トルク低しきい値Ｄｔ_ｉとして制御トルク低しきい値Ｄｔ_ｉｌをセットする。さらに、成立判定時間しきい値Ｔｏ_ｉとして成立判定時間低しきい値Ｔｏ_ｉｌをセットする。また、干渉解除判定に用いる解除用しきい値のうち、解除用操舵トルクしきい値Ｄｄ_ｏとして解除用操舵トルク標準しきい値Ｄｄ_ｏｓ、解除用制御トルクしきい値Ｄｔ_ｏとして解除用制御トルク標準しきい値Ｄｔ_ｏｓ、解除用成立判定時間しきい値Ｔｏ_ｏとして解除用成立判定時間標準しきい値Ｔｏ_ｏｓをそれぞれセットする。
【００５７】
続いて、干渉判定および制御トルク低減処理を行う（Ｓ１８）。干渉判定では、ステップＳ４（図３）で検出した操舵トルクと、ステップＳ５で検出した制御トルクと、ステップＳ１５、Ｓ１６で設定した干渉判定しきい値とを比較して干渉判定を行う。干渉判定において、たとえば、干渉判定しきい値として、干渉判定低しきい値がセットされていた場合について説明する。この場合には、操舵トルクＤｄが操舵トルク低しきい値Ｄｄ_ｉｌ以下であり、制御トルクＤｔが制御トルク低しきい値Ｄｔ_ｉｌ以下である時間が、成立判定時間低しきい値Ｔｏ_ｉｌを超えているという条件が成立しているか否かを判断する。この条件が成立している場合には、操舵トルクと制御トルクとが干渉していると判断する。また、この条件が成立していない場合には、操舵トルクと制御トルクとが干渉していないと判断する。
【００５８】
制御トルク低減処理は、操舵トルクと制御トルクとが干渉しているか否かの判断に応じた処理を行う。ここで、操舵トルクと制御トルクとが干渉していると判断した場合には、目標制御トルクを小さくして低目標制御トルクとする処理を行う。一方、操舵トルクと制御トルクとが干渉していないと判断した場合には、目標制御トルクを維持して標準目標制御トルクとする。
【００５９】
さらに、干渉判定の際に、目標制御トルクが低目標制御トルクとされている場合には、目標制御トルクを標準制御トルクに復帰させるか否かの干渉解除判定を行う。干渉解除判定では、解除用操舵トルクしきい値Ｄｄ_ｏ、解除用制御トルクしきい値Ｄｔ_ｏ、および解除用成立判定時間しきい値Ｔｏ_ｏが用いられる。干渉解除判定では、ステップＳ４（図３）で検出した操舵トルクと、ステップＳ５で検出した制御トルクと、ステップＳ１５、Ｓ１６で設定した解除用干渉判定しきい値とを比較して干渉解除判定を行う。
【００６０】
干渉解除判定において、たとえば、解除用干渉判定しきい値として、解除用干渉判定低しきい値がセットされていた場合について説明する。この場合、操舵トルクＤｄが解除用操舵トルク低しきい値Ｄｄ_ｏｌを超え、制御トルクＤｔが解除用制御トルク低しきい値Ｄｔ_ｏｌを超えている時間が、解除用成立判定時間低しきい値Ｔｏ_ｏｌを超えているという条件が成立するか否かを判断する。この条件が成立している場合には、操舵トルクと制御トルクとの干渉が終了していると判断し、干渉判定低しきい値フラグをＯＦＦにする。また、この条件が成立していない場合には、操舵トルクと制御トルクとが干渉が終了していないと判断し、干渉判定低しきい値フラグをＯＮのまま維持する。
【００６１】
こうして干渉判定および制御トルク低減処理が済んだら、干渉判定低しきい値フラグがＯＦＦであり、かつ干渉判定低しきい値フラグＯＮタイマの計測時間が干渉判定低しきい値フラグ継続時間しきい値α以下であるか否かを判断する（Ｓ１９）。その結果、干渉判定低しきい値フラグがＯＦＦであり、かつ干渉判定低しきい値フラグＯＮタイマの計測時間が干渉判定低しきい値フラグ継続時間しきい値α以下である場合には、ステップＳ１３に戻り、処理を繰り返す。一方、干渉判定低しきい値フラグがＯＦＦであり、かつ干渉判定低しきい値フラグＯＮタイマの計測時間が干渉判定低しきい値フラグ継続時間しきい値α以下であるという条件を満たしていない場合には、干渉判定低しきい値フラグＯＮタイマをリセットし（Ｓ２０）、処理を終了する。
【００６２】
このように、本実施形態に係る操舵支援装置においては、干渉判定を行う際の干渉判定しきい値を車両の周囲を走行する他車両との相対関係に応じて調整している。たとえば図５に示すように、第１走行車線Ｌ１を走行中の車両Ｍの周辺前方において、前方車両である大型車両Ｍ１が第２走行車線Ｌ２を走行しており、車両Ｍが大型車両Ｍ１を追い越そうとする場合がある。このとき、車両Ｍの運転者は、大型車両Ｍ１から遠い位置を走行しようとすることが多くなり、白線Ｗからは遠い位置を走行しようとする傾向が大きくなる。
【００６３】
このような状況で干渉判定を行う際、操舵トルクしきい値Ｄｄ_ｉとして操舵トルク標準しきい値Ｄｄ_ｉｓを用いて干渉判定を行うと、干渉判定が成立しにくくなり、運転者が大型車両Ｍ１から遠い位置を走行しようとしても、車線側に誘導する制御トルクが発生しやすくなってしまう。その結果、運転者の意図に反して制御トルクが生じてしまい、運転者に与える違和感を大きくしてしまったり、ハンチングを起こす原因となったりする
。また、制御トルクしきい値Ｄｔ_ｉとして制御トルク標準しきい値Ｄｔ_ｉｓを用いた場合や、成立判定時間しきい値Ｔ_ｏｉとして成立判定時間標準しきい値Ｔｏ_ｉｓを用いた場合にも同様に干渉判定が成立しにくくなる。
【００６４】
この点、本実施形態に係る操舵支援装置では、図６に示すように、大型車両Ｍ１と白線Ｗとの相対距離Ｘおよび車両Ｍから大型車両Ｍ１までの到達時間Ｔがそれぞれ相対距離しきい値Ｘ_ｌおよび到達時間しきい値Ｔ_ｌよりも小さい場合に、操舵トルクしきい値Ｄｄ_ｉ、制御トルクしきい値Ｄｔ_ｉ、および成立判定時間しきい値Ｔｏ_ｉをそれぞれ操舵トルク低しきい値Ｄｄ_ｉｌ、制御トルク低しきい値Ｄｔ_ｉｌ、および成立判定時間低しきい値Ｔｏ_ｉｌとしている。到達時間Ｔは、車両Ｍと大型車両Ｍ１との間の距離Ｙを車両Ｍの速度に対する大型車両の相対速度ΔＶで除することで算出することができる。
【００６５】
たとえば、図７に示すように、操舵トルクＤｄおよび制御トルクＤｔが経時変化した場合を想定する。この場合、干渉判定しきい値が大きく、操舵トルク標準しきい値Ｄｄ_ｉｓ、制御トルク標準しきい値Ｄｔ_ｉｓ、および成立判定時間標準しきい値Ｔｏ_ｉｓが用いられていた場合、車両Ｍの運転者の意図どおりに操舵が行われていたとしても、干渉判定が成立しやすくなってしまう。その一方、本実施形態のように、干渉判定しきい値が小さく、操舵トルク低しきい値Ｄｄ_ｉｌ、制御トルク低しきい値Ｄｔ_ｉｌ、および成立判定時間低しきい値Ｔｏ_ｉｌが用いられていた場合、干渉判定が成立しにくくなり、車両Ｍの運転者の意図に応じた操舵制御を行うことができることとなる。
【００６６】
また、本実施形態に係る操舵支援装置１では、干渉判定低しきい値フラグが一旦セットされた後は、干渉判定低しきい値フラグ継続時間しきい値αを経過するまで干渉判定低しきい値フラグを維持するようにしている。このため、干渉判定しきい値が頻繁に更新される事態を防止することができるので、車両Ｍの運転者に対して干渉判定しきい値の変動に基づく違和感を低減することができる。
【００６７】
さらに、本実施形態では、干渉判定しきい値をセットするにあたり、車両の周囲を走行する他車両を検出し、検出した他車両と車両との相対関係を用いてトルク抑制制御期待状況を判定している。このため、他車両と車両との相対関係に基づいて、トルク抑制制御期待状況の判定を行うことができるので、トルク抑制制御期待状況を適切に判定することができる。
【００６８】
次に、本発明の第２の実施形態について説明する。本実施形態では、トルク抑制制御期待状況を車両周辺の障害物、運転者の覚醒度、脇見状況等によって判定する。図８は、第２の実施形態に係る操舵支援装置のブロック構成図である。図８に示すように、本実施形態に係る操舵支援装置３０は、カーナビゲーション装置３１、周辺監視センサ３２、覚醒度検知装置３３、および脇見検知装置３４を備えており、それぞれ逸脱防止支援ＥＣＵ１０に接続されている。その他の点は、上記第１の実施形態と同様の構成を備えている。
【００６９】
カーナビゲーション装置３１は、全地球測位システム（Global Positioning System）等を利用して自車両の現在位置を検出するとともに、走行目的地までの各種案内を行う。このカーナビゲーション装置３１は、車両の現在位置周辺の地図をディスプレイ上に表示するために地図情報データベースを保持している。また、カーナビゲーション装置３１は、車両が走行した地点の走行位置を逸脱防止支援ＥＣＵ１０に送信する。また、カーナビゲーション装置３１は、車両の走行位置における車線数、車線位置などの車線関係情報を逸脱防止支援ＥＣＵ１０に送信する。
【００７０】
周辺監視センサ３２は、車両の側方に設けられたカメラを備えており、車両の周囲における障害物を検出する。周辺監視センサ３２は、検出した周辺情報を含む画像を逸脱防止支援ＥＣＵ１０に送信する。
【００７１】
覚醒度検知装置３３は、は、運転者の覚醒度が低下しているか否かを判断するセンサである。覚醒度検知装置３３では、カメラで運転者の顔周辺を撮像し、その撮像画像から運転者の眼部分の画像を抽出し、その眼部分の画像から眼を閉じているか否か（つまり、覚醒度が低下している否か）を判定する。そして、覚醒度検知装置３３では、閉眼状態に基づいて運転者の覚醒度を判定し、判定した覚醒度を逸脱防止支援ＥＣＵ１０に送信する。運転者の覚醒度が低いほど（眠気が強くなるほど）、運転者は眼を閉じており、居眠り状態となる。
【００７２】
脇見検知装置３４は、車室内の計器パネル内やステアリングコラムカバー上に配置されて、運転者の顔画像を取得する顔画像取得カメラと、取得した顔画像から画像認識によって運転者の顔向きを判別し、その判別結果によって脇見か否かを判定する脇見判定ＥＣＵとを備えている。ここで、顔画像取得カメラは、車室内の明るさ等の環境条件に影響を受けることなく安定して顔向きが判定できるよう、近赤外線のストロボ光を運転者に照射してその反射光画像を取得するカメラを用いるとよい。また、脇見検知装置３４は、脇見判定ＥＣＵにおける脇見判定の結果を逸脱防止支援ＥＣＵ１０に送信する。
【００７３】
次に、本実施形態に係る操舵支援装置３０における動作、作用について説明する。本実施形態に係る操舵支援装置３０は、上記第１の実施形態と同様、図３に示す処理を繰り返す。本実施形態では、上記第１の実施形態と比較して、目標制御トルク判定処理が異なっている。
【００７４】
目標制御トルク判定処理では、まず、逸脱防止支援ＥＣＵ１０において、カーナビゲーション装置３１から送信される走行位置および車線関係情報に基づいて、車両が走行する走行路の車線数および車線位置を認識する。それから、白線認識カメラ１３から出力される車外状況に基づいて、車線がない側に寄ったオフセット走行を車両が行っているか否かを判断する。そして、このようなオフセット走行を行っている場合には、トルク抑制制御期待状況でないと判定し、干渉判定しきい値をすべて０として、干渉判定を成立させないようにする。
【００７５】
このようなオフセット走行を行っている場合に干渉判定を成立させないようにすることにより、白線のすぐ外側近くにある壁などの障害物へのオフセット走行に対して干渉判定を成立させないようにすることができる。その結果、運転者が意図しないオフセット走行を防止することができるとともに、制御に対する安心感を運転者に与えることができる。
【００７６】
ここで、カーナビゲーション装置３１から送信される車線関係情報に暫定共用区間情報が含まれている場合には、暫定共用線側へのオフセット走行に対して干渉判定を成立させないようにすることもできる。こうして、たとえば暫定共用線に設けられるポールへの接触を防止することができる。
【００７７】
また、車線がない側に寄ったオフセット走行を車両が行っていないと判断した場合には、周辺監視センサ３２から送信される画像に基づいて、車両が走行する走行路における隣車線の有無および走行の外側における障害物の有無を判断する。ここで、走行路に隣車線がなく、走行路から一定距離以内に壁などの障害物があるという条件を満たす場合には、トルク抑制制御期待状況でないと判定し、干渉判定しきい値をすべて０として、干渉判定を成立させないようにする。
【００７８】
この条件を満たす場合に干渉判定を成立させないようにすることにより、障害物などがあり、車両が衝突する可能性がある方向へ車両が行き難くすることができるとともに、意図しない走行路からの逸脱を防止することができる。車両の走行路からの逸脱は、運転者の意図するものであるか否かの判断は明確でないものの、少なくとも障害物が存在する方向への逸脱は意図する逸脱ではないと考えられる。ここでは、このような逸脱を防止することができる。
【００７９】
また、車両の走行路に隣車線がなく、走行路から一定距離以内に障害物があるという条件を満たさない場合には、覚醒度検知装置３３から送信される覚醒度に基づいて、運転者の覚醒度が低く、運転者が居眠り状態にあるか否かを判断する。ここで、運転者が居眠り状態にある場合には、トルク抑制制御期待状況でないと判定し、干渉判定しきい値をすべて０として、干渉判定を成立させないようにする。
【００８０】
運転者が居眠り状態にあるときに干渉判定を成立させないようにすることにより、運転者の居眠り時における運転者の意図しない方向、特に走行路を逸脱する逸脱方向への操舵に対する干渉判定が成立することを防止することができる。こうして、運転者の居眠り時における車両のふらつきを防止することができる。
【００８１】
さらに、運転者が居眠り状態でない場合には、脇見検知装置３４から送信される脇見判定の結果に基づいて、運転者が脇見運転を行っているか否かを判断する。ここで、運転者が脇見運転を行っている場合には、トルク抑制制御期待状況でないと判定し、干渉判定しきい値をすべて０として、干渉判定を成立させないようにする。
【００８２】
運転者が脇見運転を行っているときに干渉判定を成立させないようにすることにより、運転者が脇見運転を行っている時における運転者の意図しない方向、特に走行路を逸脱する逸脱方向への操舵に対する干渉判定が成立することを防止することができる。こうして、運転者が脇見運転を行っている時における車両のふらつきを防止することができる。
【００８３】
続いて、本発明の第３の実施形態について説明する。上記第１の実施形態では、目標制御トルクとして低目標制御トルクとした場合、この低目標制御トルクを一定の値としていた。これに対して、本実施形態に係る操舵支援装置では、低目標制御トルクを時間変化に応じて可変とする点において、上記第１の実施形態と異なっている。以下、この相違点を中心として本実施形態に係る操舵支援装置について説明する。
【００８４】
本実施形態に係る操舵支援装置においては、目標制御トルクを低目標制御トルクとした場合、低目標制御トルクによる制御を開始してから時間が経過するにしたがって、目標制御トルクを小さくしていく。
【００８５】
具体的には、低目標制御トルクによる制御を開始してから経過した時間に比例して、目標制御トルクを小さくする量を大きくする。あるいは、低目標制御トルクによる制御を開始してから操舵トルクの積分を開始し、操舵トルクの積分量に比例して目標制御トルクを小さくする量を大きくする。
【００８６】
運転者によっては、カーブを走行する際に意図的にカーブの内側を走行したり、直線走行する際に定常的に左によって走行したりする場合がある。このような場合に、低目標制御トルクによる制御を開始してから経過した時間が経過するほど、目標制御トルクを小さくすることにより、運転者の癖に応じた制御を行うことができる。その結果、運転者に与える違和感を好適に軽減することができる。
【００８７】
以上、本発明の好適な実施形態について説明したが、本発明は上記各実施形態に限定されるものではない。たとえば、上記実施第１の実施形態においては、干渉判定低しきい値フラグをＯＮとした場合、解除用しきい値を用いた判断によって干渉判定低しきい値フラグをＯＦＦにするようにしていた。これに対して、周辺の車両の状況に応じて干渉判定低しきい値フラグをＯＦＦにする態様とすることもできる。たとえば、車両に側方認識センサや後方認識センサを設け、前方車両を車両追い越したことを検出した後、一定時間経過したら干渉判定低しきい値フラグをＯＦＦにすることもできる。この場合には、前方車両が大型車や全長が長いトレーラ、あるいは全長が短い小型車のいずれである場合にも、適切なタイミングで干渉判定低しきい値フラグをＯＦＦにし、目標制御トルクを標準目標制御トルクに戻すことができる。
【００８８】
また、上記第１の実施形態では、第１走行車線Ｌ１を走行する車両Ｍについて、第２走行車線Ｌ２を走行する前方車両（大型車両）Ｍ１が検出された場合に、干渉判定低しきい値フラグをＯＮにする態様としている。この場合、第１走行車線Ｌ１から見て第２走行車線Ｌ２の反対側の白線に対しては、前方車両が存在しない場合、干渉判定が成立しやすくなる。これに対して、第１走行車線Ｌ１から見て第２走行車線Ｌ２の反対側の白線に対しても、干渉判定が成立しやすくはならない態様とすることもできる。
【００８９】
さらに、上記第１の実施形態では、干渉判定低しきい値フラグがＯＮとなった際には、所定の条件を満たすことで干渉判定しきい値を干渉判定低しきい値に変更しているが、干渉判定低しきい値に変更して干渉判定を成立しやすくする代わりに、しきい値での判定を行うことなく、常に干渉判定を成立させる態様とすることもできる。また、上記第２の実施形態では、トルク抑制制御期待状況でないと判定した場合には、干渉判定しきい値をすべて０として、干渉判定を成立させないようにしている。これに代えて、トルク抑制制御期待状況でないと判定した場合に、干渉判定が成立しにくくする態様とすることもできる。また、干渉判定しきい値を小さくする際、操舵トルクしきい値、制御トルクしきい値、および成立判定時間しきい値をすべて小さくする代わりに、そのうちの一部を小さくする態様とすることもできる。
【００９０】
他方、上記第３の実施形態では、低目標制御トルクによる制御を開始してから経過した時間や低目標制御トルクによる制御を開始した後の操舵トルクの積分量に比例して目標操舵トルクを小さくしているが、比例関係にかかわらず、適宜の態様で目標制御トルクを小さくすることができる。また、上記各実施形態では、操舵トルクおよび制御トルクの双方にしきい値を設定しているが、操舵トルクと制御トルクの差にしきい値を設ける態様とすることもできる。
【図面の簡単な説明】
【００９１】
【図１】第１の実施形態に係る操舵支援装置のブロック構成図である。
【図２】メーターの正面図である。
【図３】本発明に係る操舵支援装置の制御手順を示すフローチャートである。
【図４】目標制御トルク判定処理の手順を示すフローチャートである。
【図５】車両が大型車両を追い越す状態を示す平面図である。
【図６】車両と大型車両との相対関係を説明する平面図である。
【図７】操舵トルクおよび制御トルクの経時変化の例を示すグラフである。
【図８】第２の実施形態に係る操舵支援装置のブロック構成図である。
【符号の説明】
【００９２】
１，３０…操舵支援装置、２…操舵トルク印加手段、３…警報ブザー、４…メーター、１０…逸脱防止支援ＥＣＵ、１１…車速検出手段、１２…操舵トルク検出手段、１３…白線認識カメラ、１４…ブレーキスイッチ、１５…ウィンカースイッチ、１６…メインスイッチ、１７…前方認識レーダ、３１…カーナビゲーション装置、３２…周辺監視センサ、３３…覚醒度検知装置、３４…脇見検出装置。
【図１】
2010137778.tif 000003
【図２】
2010137778.tif 000004
【図３】
2010137778.tif 000005
【図４】
2010137778.tif 000006
【図５】
2010137778.tif 000007
【図６】
2010137778.tif 000008
【図７】
2010137778.tif 000009
【図８】
2010137778.tif 000010